(57)【要約】      （修正有）【課題】収納する物を取り出しやすいように分類することを効果的に学べる収納分類マップを提供する。【解決手段】収納分類マップは、収納品を上位概念的に分類する大分類欄と、収納品を中位概念的に分類する中分類欄と、を有する分類シート１と、下位概念的に小分類された収納品の名称を記載したアイテムカードと、からなる。大分類欄に「長期防災備蓄品」が記載され、中分類欄１１０に「食品」、中分類欄１２０に「衛生品」、中分類欄１３０に「冷暖グッズ」が記載され、たとえば「主食」として小分類化された収納品「アルファ米」、「パン」及び「おでん」がそれぞれ記載されたアイテムカードを、トレー３１内に収納する。【選択図】図４
0003221849.tif 000002
【実用新案登録請求の範囲】
【請求項１】
収納品を上位概念的に分類する大分類欄と、前記収納品を中位概念的に分類する中分類欄と、を有する分類シートと、
前記収納品の名称が記載されたアイテムカードと、からなること
を特徴とする収納分類マップ。
【請求項２】
前記分類シートによって分類されたアイテムカードを下位概念的に小分類化して収納する収納具を有することを特徴とする請求項１に記載の収納分類マップ。
【考案の詳細な説明】
【技術分野】
【０００１】
本考案は、収納品を取り出しやすいように分類するための収納分類マップに関する。
【背景技術】
【０００２】
従来から収納に関する書籍は多数存在する。そのような書籍の中で世の中に広く知られたものとしては、「新・片づけ術  断捨離」（マガジンハウス  やましたひでこ著）や「人生がときめく  片づけの魔法」（サンマーク出版  近藤麻理恵著）などがある。これら書籍には、主に家の中にある使用していない物の処分の方法に関する記載がされており、該方法を実践すれば不要な物が処分され、物を収納しやすく、片づけやすくなる。
【０００３】
ところで、不要な物が処分され片付けやすくなったとしても、やみくもに物を収納しただけではいざ必要なときに取り出すことができず、特に、災害時においてはすぐに取り出すことができないことが致命傷となる。
【先行技術文献】
【特許文献】
【０００４】
【非特許文献１】「新・片づけ術  断捨離」（マガジンハウス  やましたひでこ著）
【０００５】
【非特許文献２】「人生がときめく  片づけの魔法」（サンマーク出版  近藤麻理恵著）
【考案の概要】
【考案が解決しようとする課題】
【０００６】
解決しようとする問題点は、収納に関する書籍が多数出版されているにもかかわらず、物を取り出しやすく収納することを学べ、即実践できるような効果的な道具は存在しない点である。
【課題を解決するための手段】
【０００７】
本考案は、収納する物を取り出しやすいように分類することを効果的に学べることを最も主要な特徴とする。
【０００８】
前記の目的を達成するための手段として、本考案の収納分類マップは、収納品を上位概念的に分類する大分類欄と、前記収納品を中位概念的に分類する中分類欄と、を有する分類シートと、前記収納品の名称が記載されたアイテムカードと、からなることを特徴とする。
【０００９】
また、前記分類シートによって分類されたアイテムカードを下位概念的に小分類化して収納する収納具を有していてもよい。
【考案の効果】
【００１０】
本考案に係る収納分類マップによれば、収納品を上位概念的に分類する大分類欄と、前記収納品を中位概念的に分類する中分類欄と、を有する分類シートと、前記収納品の名称が記載されたアイテムカードと、からなるように構成した。これにより、収納する物を取り出しやすいように分類することを効果的に学べるといった効果を奏する。
【図面の簡単な説明】
【００１１】
【図１】本考案に係る収納分類マップを構成する分類シートを示す平面図。
【図２】本考案に係る収納分類マップを構成するアイテムカードを示す平面図。
【図３】本考案に係る収納分類マップを構成するトレー（収納具）を示す図であり、（ａ）は上面図、（ｂ）は側面図、（ｃ）は正面図、（ｄ）は底面図、（ｅ）は（ａ）のＡ−Ａ矢視断面図。
【図４】本考案に係る分類マップの使用状態を示す模式図。
【図５】本考案に係る分類マップを構成するトレー（収納具）の使用状態を説明するための模式図。
【考案を実施するための形態】
【００１２】
以下、本考案を実施するための形態について、図面を参照しながら説明する。ここで示す実施形態は、本考案に係る収納分類マップを防災備蓄のために収納する場合の一例である。
【００１３】
図１には、本考案の実施形態に係る分類マップを構成する分類シート１、図２にはアイテムカード２１乃至２９（以下、単に、アイテムカードを示すときは、「アイテムカード２」と表記する）、図３には収納品を収納するトレー（収納具）の１つトレー３１（以下、単に、トレーを示すときは「トレー３」と表示する）、図４には本実施形態に係る分類マップを使用して収納品を分類した状態が図示されている。本実施形態においては、収納品として防災備蓄のために収納するものを想定している。
【００１４】
分類シート１は、大分類欄１０と、これと線で結ばれた中分類欄１１０，１２０，１３０と、からなり、各中分類欄１１０，１２０，１３０には後述するトレー３と結ぶための線が放射状に記載されている。
【００１５】
本実施形態においては、災害専用として蓄えている物（収納品）として「長期防災備蓄品」と称して大分類欄１０に記載しており、この長期防災備蓄品は、アイテムカード２に記載された収納品からすれば上位概念となる。
【００１６】
中分類欄１１０には「食品」、中分類欄１２０には「衛生品」、中分類欄１３０には「冷暖グッズ」がそれぞれ記載されており、この中分類欄はアイテムカード２に記載された収納品からすれば中位概念となる。本実施形態においては、後述するトレー３を使用して収納品を小分類化することから、このトレー３と結ぶための線が各中分類欄１１０，１２０，１３０から放射状に記載されている。なお、この線はトレー３に収納されたアイテムカード２に記載された収納品がどの中分類に該当するかを明確化・視覚化するためのものであることから、予め記載されていてもよいし、あとから任意に記載してもよいし、場合によっては無くてもよい。
【００１７】
図２には、9枚のアイテムカード２１乃至２９が小分類ごとに記載されており、点線で囲っているのはどの小分類に分類されるかを示すためである。具体的には、「アルファ米」、「パン」及び「おでん」に共通するのは「主食」であることから、これらは小分類「主食」に分類される収納品であり、その１つ上の概念である中分類欄１１０「食品」に分類される。同様に、「ハンバーグ」、「さば味噌煮」及び「カレー」に共通するのは「惣菜」であることから、これらは小分類「惣菜」に分類される収納品であり、「食品」に該当するものであり中分類欄１１０「食品」に分類される。「せんべい」、「ビスケット」及び「ようかん」に共通するのは「菓子」であることから、「食品」に該当するものであり中分類欄１１０「食品」に分類される。
【００１８】
アイテムカード２は、カード状のものであれば、材質は紙、プラスチックなどが適用可能であり、アイテムカード２に記載する収納品の記載はユーザにおいて適宜決めて記載すればよい。
【００１９】
図３には、トレー３１が図示されており、（ａ）は上面図、（ｂ）は側面図、（ｃ）は正面図、（ｄ）は底面図、（ｅ）は（ａ）のＡ−Ａ矢視断面図である。本実施形態においては、トレー３が収納品を小分類化する道具となり、小分類化されたアイテムカード２がトレー３内に収納されることから、アイテムカード２が収納できれば材質、形状はなんでもよい。なお、図３にはトレー３の一例として、アイテムカード２を「主食」に小分類化するためのトレー３の一例としてトレー３１が図示されており、ここでは、容器内の底の部分に「主食」文字が記載されている。なお、トレー３の分類名表記としては、他にも、小分類名が記載されたカードをトレー３内に一緒に入れることにより表記してもよい。
【００２０】
図４には、分類シート１の上にトレー３１乃至３９が分類されて載置された状態が図示されており、ここでは各トレー３１乃至３９がどの中分類に属するかのみを図示、煩雑になるのでそれぞれに収納されているアイテムカード２は図示をしていない。具体的に説明すると、小分類化するトレー３として使用しているのは９つであり、「主食」、「惣菜」及び「菓子」は「食品」に属するものであることから、中分類欄１１０の右横にトレー３１乃至３３をそれぞれの線で結ばれるように載置している。同様に、「トイレ凝固剤」、「くすり」及び「生理用品」は「衛生品」に属するものであることから、中分類１２０の右横にトレー３４乃至３６をそれぞれの線で結ばれるように載置し、「暖グッズ」、「冷却グッズ」及び「寝具・上着」は「冷暖グッズ」に属するものであることから、中分類欄１３０の右横にトレー３７乃至３９をそれぞれの線で結ばれるように載置している。
【００２１】
図５には、アイテムカード２１乃至２３がトレー３１に収納される状態が模式的に図示されており、「アルファ米」、「パン」及び「おでん」がそれぞれ記載されたアイテムカード２１乃至２３が「主食」に小分類化されてトレー３１内に収納される。同様に、「ハンバーグ」、「さば味噌煮」及び「カレー」がそれぞれ記載されたアイテムカード２４乃至２６が「惣菜」に小分類化されたトレー32内に、「せんべい」、「ビスケット」及び「ようかん」がそれぞれ記載されたアイテムカード２７乃至２９が「菓子」に小分類化されてトレー３３内に、それぞれ収納される。ここには図示していないが、長期防災備蓄品としてユーザがリストアップしたすべてのもの（収納品）について小分類化、すなわち、該当するトレー３内にアイテムカード２を収容する。すると、収納品すべてについて階層的に分類されることとなる。
【００２２】
このようにして分類された収納品について、トレー３ごとに収納場所を決めて収納すれば、その結果として、必要なときに取り出しやすい収納を実現することができる。この収納場所を決める際には、例えば、家庭内であれば、間取り図を用意し、収納場所に番号を付けて表記すると分かりやすい。
【００２３】
本実施形態においては、収納品を「長期防災備蓄品」としたが、これに限定されるものではなく、例えば、日常も使用し災害時に使用するもの（ローリングストック）や、分散して収納すべきもの（分散収納）など、あらゆる収納品を収納する際に使用することができる。
【００２４】
なお、大分類、中分類、小分類の決め方としてはユーザにおいて任意に決めることが可能であるが、例えば、大分類、中分類、小分類と大きい方から分類していく細分化式分類方法や、逆に、小さい方から小分類、中分類、大分類と分類していく積み上げ式分類方法などを使用すればよい。
【符号の説明】
【００２５】
１      分類シート
１０    大分類欄
１１０，１２０，130  中分類欄
２，２１乃至２９  アイテムカード
３，３１乃至３９  トレー（収納具）
【図１】
0003221849.tif 000003
【図２】
0003221849.tif 000004
【図３】
0003221849.tif 000005
【図４】
0003221849.tif 000006
【図５】
0003221849.tif 000007